(57)【特許請求の範囲】
【請求項１】
使用者が手で把持するための把手を有する本体部と、
前記本体部に対して着脱可能であり、消毒液を貯留するボトルと、
前記本体部に内蔵され、前記ボトル内の前記消毒液を吸引して吐出するポンプと、
前記本体部の前端上部に設けられ、前記ポンプから吐出される前記消毒液を前方に向かって噴霧状に噴出するノズルと、を備える消毒液噴射装置と、
前記本体部の前部左右に一対が組付一体化され、紫外線を出射する殺菌灯を備える殺菌装置と、を備え、
前記ボトルは、その底部に電気分解手段を有し、これに投入された塩化ナトリウム水溶液を前記電気分解手段によって電気分解して次亜塩素酸水を消毒液として生成する
ことを特徴とする使用者が手に持った状態で使用するハンディタイプの消毒・殺菌装置。
【請求項２】
前記ポンプと前記ノズルとを接続する流路を流れる前記消毒液を加熱するためのヒータを設けたことを特徴とする請求項１に記載の消毒・殺菌装置。
【請求項３】
前記殺菌灯は、深紫外線を出射するＬＥＤランプで構成されていることを特徴とする請求項１または２に記載の消毒・殺菌装置。
【請求項４】
前記殺菌装置は、前記消毒液噴射装置に着脱可能に取り付けられていることを特徴とする請求項１〜３の何れかに記載の消毒・殺菌装置。
【請求項５】
前記本体部に非接触体温計を着脱可能に取り付けたことを特徴とする請求項１〜４の何れかに記載の消毒・殺菌装置。
【発明の詳細な説明】
【技術分野】
【０００１】
本発明は、細菌やウイルスを無毒化及び死滅させるための消毒・殺菌装置に関する。
【背景技術】
【０００２】
細菌やウイルスを消毒によって無毒化するための消毒液噴射装置として、例えば特許文献１には、種馬鈴薯を切断するカッティングプランターにおける切断刃に消毒液を噴射して該切断刃に付着した細菌やウイルスを無毒化するための消毒液噴射装置が提案されている。この消毒液噴射装置は、噴射手段としてベローズポンプを用いているが、当該消毒液噴射装置をカッティングプランターから取り外すことなくポンプ室内の消毒液を完全に抜くことができる構成が提案されている。
【先行技術文献】
【特許文献】
【０００３】
【特許文献１】特許第６０１２８９４号
【発明の概要】
【発明が解決しようとする課題】
【０００４】
ところで、近年、新型コロナウイルスの世界的な流行が問題となっており、このことが社会及び経済活動の大きな阻害要因となっている。特に、人々が密集する飲食店や各種イベント会場、交通機関などが大きな経済的打撃を受けている。
【０００５】
新型コロナウイルス感染症（COVID-19）への罹患を抑えるためには、新型コロナウイルス自体を無毒化及び死滅化する必要があるが、特許文献１において提案されている消毒液噴射装置による消毒液の噴射による新型コロナウイルスの無毒化だけでは新型コロナウイルス感染症（COVID-19）への罹患を効果的に防ぐことができない。
【０００６】
本発明は、上記問題に鑑みてなされたもので、その目的は、細菌やウイルスを無毒化及び死滅化させて感染症への罹患を効果的に防ぐことができる消毒・殺菌装置を提供することにある。
【課題を解決するための手段】
【０００７】
上記目的を達成するため、本発明に係る消毒・殺菌装置（１）は、消毒液を貯留するボトル（１２）と、該ボトル（１２）内の前記消毒液を吸引して吐出するポンプ（１３）と、該ポンプ（１３）から吐出される前記消毒液を噴霧状に噴出するノズル（１８）を備える消毒液噴射装置（１０）と、紫外線を出射する殺菌灯（２１）を備える殺菌装置（２０）と、を組付一体化して構成されることを特徴とする。
【０００８】
本発明によれば、消毒液噴射装置から噴射される消毒液によって細菌やウイルスが消毒によって無毒化すると同時に、殺菌装置の殺菌灯から照射される紫外線によって細菌やウイルスが死滅するため、細菌やウイルスによる感染症、特に、新型コロナウイルス感染症（COVID-19）への罹患を効果的に防ぐことができる。
【０００９】
ここで、前記ボトル（１２）は、前記消毒液噴射装置（１０）の本体（１０Ａ）に対して着脱可能であって、その底部に電気分解手段（１２１）を有し、これに投入された塩化ナトリウム水溶液を前記電気分解手段（１２１）によって電気分解して次亜塩素酸水を消毒液として生成するものであっても良い。
【００１０】
上記構成によれば、ボトルを消毒液噴射装置の本体から取り外し、その内部に塩化ナトリウム水溶液（食塩水）を投入した後に該ボトルを消毒液噴射装置の本体に取り付け、その状態で電気分解手段に通電すれば、塩化ナトリウム水溶液の電気分解によって消毒液である次亜塩素酸水が生成される。このため、ボトル内で次亜塩素酸水を生成しながらこれを噴射することができ、手軽に効率良く消毒を行うことができる。
【００１１】
また、前記ポンプ（１３）と前記ノズル（１８）とを接続する流路（１７）を流れる前記消毒液を加熱するためのヒータ（１９）を設けても良い。
【００１２】
上記構成によれば、気温の低い冬期、特に寒冷地において、加熱された消毒液を例えば人に向けて噴射する場合には、噴射される人が消毒液を冷たいと感じて不快感を覚えることがない。
【００１３】
さらに、前記殺菌灯（２１）は、深紫外線（ＵＶ−Ｃ）を出射するＬＥＤランプ（２２）で構成されていることが望ましい。
【００１４】
上記構成によれば、細菌やウイルスに対する殺菌効果の高い波長２００ｎｍ〜２８０ｎｍの深紫外線（ＵＶ−Ｃ）の照射によって細菌やウイルスを効果的に死滅させることができる。
【００１５】
また、前記殺菌装置（２０）は、前記消毒液噴射装置（１０）に着脱可能に取り付けられていても良い。
【００１６】
上記構成によれば、殺菌装置が着脱可能であることで、殺菌装置として最適な構成のものを有効に利用してこれを消毒液噴射装置に取り付けることができるので、本発明に係る消毒・殺菌装置を簡単且つ安価に構成することができる。
【００１７】
さらに、本発明に係る消毒・殺菌装置（１）に非接触体温計（３０）を着脱可能に取り付けても良い。
【００１８】
上記構成によれば、例えば、飲食店に入店する人や各種イベント会場に入場する人の体温を非接触体温計によって瞬時に測定し、感染症に罹患しているために体温が平熱よりも高い人を識別して隔離するなどの適切な対策を講じることが可能となる。
【発明の効果】
【００１９】
本発明によれば、細菌やウイルスを無毒化及び死滅化させて感染症への罹患を効果的に防ぐことができるという効果が得られる。
【図面の簡単な説明】
【００２０】
【図１】本発明に係る消毒・殺菌装置の斜視図である。
【図２】本発明に係る消毒・殺菌装置の正面図である。
【図３】本発明に係る消毒・殺菌装置の側面図である。
【図４】本発明に係る消毒・殺菌装置の分解斜視図である。
【図５】本発明に係る消毒・殺菌装置のシステム構成を示すブロック図である。
【図６】本発明に係る消毒・殺菌装置に用いられるポンプの一例を示す破断面図である。
【発明を実施するための形態】
【００２１】
以下に本発明の実施の形態を添付図面に基づいて説明する。
【００２２】
図１は本発明に係る消毒・殺菌装置の斜視図、図２は同消毒・殺菌装置の正面図、図３は同消毒・殺菌装置の側面図、図４は同消毒・殺菌装置の分解斜視図、図５は同消毒・殺菌装置のシステム構成を示すブロック図、図６は同消毒・殺菌装置に用いられるポンプの一例を示す破断面図である。
【００２３】
本実施の形態に係る消毒・殺菌装置１は、消毒液（本実施の形態では、次亜塩素酸水）による消毒と深紫外線（ＵＶ−Ｃ）の照射による殺菌を同時に行うためのハンディタイプのものであって、図１〜図３に示すように、消毒液噴射装置１０と殺菌装置２０とを組付一体化するとともに、消毒液噴射装置１０の上面に非接触体温計３０を着脱可能に取り付けて構成されている。なお、以下の説明においては、図１に示す矢印方向をそれぞれ「前後」、「上下」及び「左右」方向とする。
【００２４】
消毒液噴射装置１０は、本体１０Ａと、該本体１０Ａのケース１１に着脱可能に取り付けられているボトル１２を備えている。ここで、本体１０Ａは、合成樹脂製で側面視略Ｔ字状に成形されたケース１１を備えており、このケース１１は、左右に２分割されたケース半体１１Ａ，１１Ｂ（図１及び図２参照）同士を接合し、両者を複数の不図示のネジによって締結一体化することによって構成されている。そして、このケース１１には、使用者が手で把持するための上下方向に長い略垂直な把手１１ａが形成されており、この把手１１ａの下端には、四角柱状の台座１１ｂが一体に形成されている。また、ケース１１の後端部からは電源コード２が導出しており、この電源コード２の端部には電源プラグ３（図５参照）が取り付けられている。なお、電源プラグ３は、不図示の商用電源のコンセントに差し込まれる。
【００２５】
ところで、消毒液噴射装置１０のケース１１には、図５に示すように、モータ一体型のポンプ１３が内蔵されており、このポンプ１３の吸入側には、可撓性を有する吸入チューブ１４が接続されている。この吸入チューブ１４は、図４に示すように、ケース１１の前端下部から下方へと垂れ下がっており、その端部（下端部）は、図１、図２及び図５に示すように、ボトル１２内に貯留されている消毒液（本実施の形態では、次亜塩素酸水）内に浸漬されている。そして、図５に示すように、ポンプ１３の吸入側には、消毒液のポンプ１３への吸入方向（図５の矢印方向）の流れのみを許容するチェックバルブ（逆止弁）１５が設けられている。また、ポンプ１３の吐出側には、該ポンプ１３によって昇圧された消毒液の吐出方向（図５の矢印方向）の流れのみを許容するチェックバルブ（逆止弁）１６が設けられている。
【００２６】
ここで、ポンプ１３の一例を図６に基づいて以下に説明する。
【００２７】
図６に示すポンプ１３は、ベローズポンプであって、フランジ１３１に被着されたバルブターミナル１３２には、伸縮可能な蛇腹状のベローズ１３３が取り付けられており、このベローズ１３３の内部には不図示のポンプ室が形成されている。そして、フランジ１３１には、吸入口１３１ａと吐出口１３１ｂが形成されており、これらの吸入口１３１ａと吐出口１３１ｂは、ポンプ室に開口している。ここで、吸入口１３１ａと吐出口１３１ｂには、それぞれチェックバルブ１５，１６がそれぞれ設けられている。
【００２８】
また、ベローズ１３３の中心からはロッド１３４が垂下しており、このロッド１３４の下端には、モータ１３５の出力軸１３５ａに結着された偏心カム１３６がベアリング１３７を介して回転可能に支持されている。なお、モータ１３５には、図５に示すように、電源コード２（図３参照）を介して商用電源が電気的に接続されている。
【００２９】
以上のように構成されたポンプ１３において、商用電源から電源コード２（図３参照）を介してモータ１３５に電力（電流）が供給されると該モータ１３５が起動され、このモータ１３５の出力軸１３５ａが所定の速度で回転する。すると、モータ１３５の出力軸１３５ａと共に偏心カム１３６が一体に回転するため、この偏心カム１３６が下端に支持されたロッド１３４が偏心カム１３６の偏心運動によって上下動し、このロッド１３４の上下動に伴ってベローズ１３３が上下に伸縮動する。
【００３０】
上述のようにベローズ１３３が上下に伸縮動することによって所要のポンプ作用がなされる。具体的には、ベローズ１３３が伸長するとポンプ室の容積が増大するために消毒液が吸入口１３１ａからポンプ室へと吸引され、逆にベローズ１３３が収縮するとポンプ室の容積が減少するために該ポンプ室の消毒液が吐出口１３１ｂから吐出される。なお、このとき、消毒液のボトル１２側への逆流（戻り）がチェック弁１５，１６によって防がれるため、ポンプ１３による消毒液の圧送が正常に行われる。
【００３１】
ところで、図５に示すように、ポンプ１３の吐出側からは耐熱性の高い吐出パイプ１７が延出しており、この吐出パイプ１７の端部にはノズル１８が取り付けられている。ここで、吐出パイプ１７は、ポンプ１３から吐出される消毒液の流路となるが、この吐出パイプ１７の外周には、通電によって発熱するヒータ１９が巻装されている。
【００３２】
また、吐出パイプ１７の端部に取り付けられたノズル１８は、図２に示すように、ケース１１内の前端上部に取り付けられており、これには前方（図２の手前側）に向かって開口する小径の噴出口１８ａが形成されている。
【００３３】
ここで、図５に示すように、商用電源からポンプ１３への電力供給経路の途中には、ポンプ１３の駆動をＯＮ／ＯＦＦするためのスイッチ４と、ポンプ１３への供給電流を調整するための調整ダイヤル５が設けられている。この調整ダイヤル５は、可変抵抗器を備えており、これを回してモータ１３５（図６参照）への供給電流を調整して該モータ１３５の回転数を変化させることによって、ノズル１８からの消毒液の噴射量を調整するものであり、この調整ダイヤル５とスイッチ４は、図３に示すように、ケース１１の右側面後部に並設されている。
【００３４】
また、図５に示すように、電源プラグ３が不図示のコンセントに差し込まれた状態では、ヒータ１９は、商用電源に電気的に接続されて該商用電源から電力の供給を受ける。
【００３５】
次に、ボトル１２について説明する。
【００３６】
ボトル１２は、図４に示すように、透明又は半透明の合成樹脂製で、上方に向かって先細状の容器として構成されており、その先端ネック部外周には雄ネジ１２ａが形成されている。そして、このボトル１２の下端部には、対向配置された不図示の陽極端子と陰極端子を備える電気分解手段１２１が設けられており、この電気分解手段１２１は、これに内蔵された交換可能な電池１２２から陽極端子と陰極端子への通電によって電気分解を行う。なお、電気分解手段１２１には、電池１２２から陽極端子と陰極端子への通電をＯＮ／ＯＦＦするためのスイッチ１２３が設けられている。
【００３７】
一方、ケース１１の前端下部には、不図示の雌ネジ孔が開口しており、この雌ネジ孔にボトル１２の上端外周に形成された雄ネジ１２ａを螺合させた状態で当該ボトル１２を回すことによって、該ボトル１２を図１〜図３に示すようにケース１１の前端下部に略垂直に取り付けることができる。また、ケース１１に取り付けられボトル１２を逆方向に回せば、該ボトル１２をケース１１から簡単に取り外すことができる。
【００３８】
次に、殺菌装置２０について説明する。
【００３９】
本実施の形態においては、殺菌装置２０は、左右２つの殺菌灯２１を備えている。ここで、各殺菌灯２１の基本構成を図５に示すが、該殺菌灯２１は、殺菌効果の高い波長２００ｎｍ〜２８０ｎｍの深紫外線（ＵＶ−Ｃ）を出射するＬＥＤランプ２２を備えるものであって、本実施の形態では、その電源として交換可能な電池２３が使用されている。また、電池２３からＬＥＤランプ２２への電力供給経路には、電池２３からＬＥＤランプ２２への電力供給をＯＮ／ＯＦＦして該ＬＥＤランプ２２を点灯／消灯するためのスイッチ２４が設けられている。
【００４０】
殺菌灯２１は、図１〜図４に示すように、樹脂製の細長いケース２１Ａ内にＬＥＤランプ２２（図５参照）を収容するとともに、ケース２１Ａの正面に細長いスリット状の光出射口２１ａを形成することによって構成されており、ケース２１Ａの背面にスイッチ２４（図５参照）が設けられている。
【００４１】
ところで、本実施の形態では、図１〜図３に示すように、２つの殺菌灯２１を消毒液噴射装置１０の前部左右に垂直に立てた状態で取り付けることによって、これらの殺菌灯２１と消毒液噴射装置１０とが組付一体化されて本発明に係る消毒・殺菌装置１が構成されている。
【００４２】
ここで、本実施の形態では、２つの殺菌灯２１は、図４に示す２つのホルダ金具２５，２６を用いてボトル１２の左右に着脱可能に取り付けられている。
【００４３】
２つのホルダ金具２５，２６は、その中心部にそれぞれ形成されたリング部２５ａ，２６ａをボトル１２に通して嵌め込んで固定し、各リング部２５ａ，２６ａから左右にそれぞれ延びるＣ状のホルダ部２５ｂ，２６ｂに各殺菌灯２１を側方からそれぞれ嵌め込むことによって、ボトル１２の左右にワンタッチで簡単に取り付けられる。また、ボトル１２に取り付けられている左右２つの殺菌灯２１をそれぞれ外側方に引っ張ることによって、これらの殺菌灯２１をボトル１２からワンタッチで簡単に取り外すことができる。
【００４４】
なお、本実施の形態では、殺菌灯２１の取付構造として上述のような構造を採用したが、消毒液噴射装置１０と殺菌装置２０を各ケース１１，２１Ａを含めて一体化すれば、ホルダ金具２５，２６を用いる取付構造は不要となり、消毒・殺菌装置１は、その製品としての完成度が高められる。
【００４５】
また、本実施の形態では、消毒液噴射装置１０の電源として商用電源を用いたが、ケース１１に内蔵されるバッテリを電源として用いれば、コードレスの消毒・殺菌装置１を実現することができ、その取扱性が一段と高められる。
【００４６】
次に、非接触体温計３０について説明する。
【００４７】
非接触体温計３０は、人体から放射される赤外線エネルギを受光してその量を温度に変換するサーモグラフィ式のものであって、短時間（１秒程度）で人の体温を測定して表示部にデジタル表示するものである。
【００４８】
本実施の形態においては、非接触体温計３０には偏平な矩形プレート状のものを採用している。この非接触体温計３０は、電源としての電池（不図示）をケース３１に内蔵しており、図２に示すように、ケース３１の前端中央部に、人体から放射される赤外線を受光するための受光窓３１ａが開口している。
【００４９】
而して、図４に示すように、非接触体温計３０は、これの底面に貼着された不図示の面ファスナーを消毒液噴射装置１０のケース１１の上面に貼着された面ファスナー３３に接合することによって、ケース１１の上面に簡単に取り付けられる。この場合、この非接触体温計３０は、そのケース３１に開口する受光窓３１ａが正面を向く方向に取り付けられる。なお、この種の非接触体温計３０は公知であるため、これについての詳細な説明は省略する。
【００５０】
以上のように構成された消毒・殺菌装置１は、以下に説明する要領で使用されて細菌やウイルスの無毒化と死滅化に供される。
【００５１】
先ず、当該消毒・殺菌装置１を使用する前準備として、ボトル１２をケース１１から取り外し、このボトル１２内に塩化ナトリウム（Ｎａｃｌ）水溶液（食塩水）を投入する。その後、ボトル１２をケース１１に取り付け、スイッチ１２３をＯＮする。すると、ボトル１２の底部に設けられた電気分解手段１２１の陽極端子と陰極端子に電池１２２から通電されて塩化ナトリウム水溶液が電気分解され、ボトル１２内には消毒液としての次亜塩素酸水が生成される。なお、次亜塩素酸水は、次亜塩素酸（ＨＣｌＯ）を主成分とする酸性の溶液であって、細菌やウイルスの無毒化に対して有効である。なお、次亜塩素酸水は、塩酸（Ｈｃｌ）水溶液の電気分解によっても生成される。
【００５２】
以上の準備が完了してボトル１２内に消毒液である次亜塩素酸水が収容された状態で、使用者が当該消毒・殺菌装置１のケース１１に形成された把手１１ａを片手で把持した状態でスイッチ４をＯＮすると、ポンプ１３が駆動されてボトル１２に収容されている次亜塩素酸水がノズル１８へと圧送され、ノズル１８の噴射口１８ａから噴霧状の次亜塩素酸水が前方に向かって噴射される。この噴霧状の次亜塩素酸水が人などの対象物に向けて噴射されると、人体などに付着している細菌やウイルスが無毒化される。なお、消毒液である次亜塩素酸水のノズル１８からの噴射距離は、本実施の形態では、約２ｍである。また、使用者が調整ダイヤル５を回してポンプ１３のモータ１３５（図６参照）の回転数を変更することによって、ポンプ１３の吐出量、すなわち、ノズル１８からの次亜塩素酸水の噴射量を任意に調整することができる。
【００５３】
ところで、本実施の形態においては、次亜塩素酸水は、ポンプ１３から吐出パイプ１７を通ってノズル１８へと流れる過程でヒータ１９によって加熱されるため、気温の低い冬期、特に寒冷地において、加熱された次亜塩素酸水を例えば人に向けて噴射する場合には、噴射される人が消毒液を冷たいと感じて不快感を覚えることがない。なお、消毒液である次亜塩素酸水の噴射は、人以外の消毒したい場所に対して噴射しても良いことは勿論である。
【００５４】
また、上述の次亜塩素酸水の噴射と同時に、使用者が左右の殺菌灯２１の各スイッチ２４（図５参照）をそれぞれＯＮすると、左右の殺菌灯２１のＬＥＤランプ２２が点灯して発光し、各殺菌灯２１の出射口２１ａから深紫外線（ＵＶ−Ｃ）が前方に向かってそれぞれ出射する。したがって、この深紫外線（ＵＶ−Ｃ）を例えば人に向けて照射すると、人体に付着している細菌やウイルスが殺菌されて死滅化する。なお、深紫外線（ＵＶ−Ｃ）を人以外の場所に照射すると、その場所に存在する細菌やウイルスが殺菌されて死滅する。
【００５５】
以上のように、本実施の形態に係る消毒・殺菌装置１によれば、消毒液噴射装置１０から噴射される次亜塩素酸水によって細菌やウイルスが無毒化されると同時に、殺菌装置２０の各殺菌灯２１からそれぞれ照射される深紫外線（ＵＶ−Ｃ）によって細菌やウイルス殺菌されて死滅するため、細菌やウイルスによる感染症,、特に近年問題となっている新型コロナウイルス感染症（COVID-19）への罹患を効果的に防ぐことができるという効果が得られる。
【００５６】
そして、本実施の形態では、ボトル１２は、消毒液噴射装置１０の本体１０Ａに対して着脱可能であって、その底部に電気分解手段１２１を有し、これに投入された塩化ナトリウム水溶液を電気分解手段１２１によって電気分解して次亜塩素酸水を消毒液として生成するようにしたため、次のような効果が得られる。すなわち、ボトル１２を消毒液噴射装置１０の本体１０Ａから取り外し、その内部に塩化ナトリウム水溶液（食塩水）を投入した後に該ボトル１２を消毒液噴射装置１０の本体１０Ａ（ケース１１）に取り付け、電気分解手段１２１に通電すれば、塩化ナトリウム水溶液の電気分解によって消毒液である次亜塩素酸水が生成されるため、ボトル１２内で次亜塩素酸水を生成しながらこれを噴射することができ、手軽に効率良く消毒を行うことができる。
【００５７】
また、本実施の形態においては、殺菌装置２０を構成する左右の殺菌灯具２１を消毒液噴射装置１０（具体的には、ボトル１２の左右）に着脱可能に取り付けるようにしたため、殺菌装置２０として、既存のものを有効に利用してこれを消毒液噴射装置１０に取り付けることなども可能となる。したがって、本発明に係る消毒・殺菌装置１を簡単且つ安価に構成することができるという効果も得られる。
【００５８】
ところで、本実施の形態においては、消毒・殺菌装置１に非接触体温計３０を着脱可能に取り付けたため、例えば、飲食店に入店する人や各種イベント会場に入場する人の体温を非接触体温計３０によって瞬時に測定し、感染症に罹患しているために体温が平熱よりも高い人を識別して隔離するなどの適切な対策を講じることが可能となる。なお、体温の測定が不要な場合には、非接触体温計３０を取り外すことができ、消毒・殺菌装置１をその構成を簡略化した状態で使用することができる。
【００５９】
なお、以上の実施の形態では、消毒液噴射装置１０によって噴射される消毒液として次亜塩素酸水を使用したが、消毒液としては、他の任意のもの、例えばアルコール消毒液（濃度７０％〜９５％のエタノール）などを使用することができる。
【００６０】
その他、本発明は、以上説明した実施の形態に適用が限定されるものではなく、特許請求の範囲及び明細書と図面に記載された技術的思想の範囲内で種々の変形が可能である。
【符号の説明】
【００６１】
１        消毒・殺菌装置
１０      消毒液噴射装置
１０Ａ    消毒液噴射装置の本体
１２      ボトル
１２１    電気分解手段
１３      ポンプ
１４      吸入チューブ
１７      吐出パイプ（流路）
１８      ノズル
１８ａ    ノズルの噴射口
１９      ヒータ
２０      殺菌装置
２１      殺菌灯
２２      ＬＥＤランプ
３０      非接触体温計
【要約】
【課題】細菌やウイルスを無毒化及び死滅化させて感染症への罹患を効果的に防ぐことができる消毒・殺菌装置を提供すること。
【解決手段】本発明に係る消毒・殺菌装置１は、消毒液を貯留するボトル１２と、該ボトル１２内の消毒液を吸引して吐出するポンプ１３と、該ポンプ１３から吐出される消毒液を噴霧状に噴出するノズル１８を備える消毒液噴射装置１０と、紫外線を出射する殺菌灯２１を備える殺菌装置２０とを組付一体化して構成される。ここで、ボトル１２は、消毒液噴射装置１０の本体１０Ａに対して着脱可能であって、その底部に電気分解手段１２１を有し、これに投入された塩化ナトリウム水溶液を電気分解手段１２１によって電気分解して次亜塩素酸水を消毒液として生成する。また、殺菌灯２１は、深紫外線（ＵＶ−Ｃ）を出射するＬＥＤランプ２２で構成されている。
【選択図】図１【図１】
0006893054.tif 000002
【図２】
0006893054.tif 000003
【図３】
0006893054.tif 000004
【図４】
0006893054.tif 000005
【図５】
0006893054.tif 000006
【図６】
0006893054.tif 000007